(57)【特許請求の範囲】
【請求項１】
少なくとも１つのＭＥＭＳセンシングモジュール、１つのメインコントロールモジュール及び１つのアラームモジュールを備え、
前記ＭＥＭＳセンシングモジュールは、その自身の速度、加速度及び/又は空間位置を検出するために用いられ、且つ検出された前記速度、加速度又は空間位置情報を前記メインコントロールモジュールに送信し、
前記メインコントロールモジュールは、前記ＭＥＭＳセンシングモジュールから送信する速度、加速度又は空間位置情報に基づいて前記ＭＥＭＳセンシングモジュールが盗難防止範囲に位置するか否かを判断するために用いられ、且つ前記ＭＥＭＳセンシングモジュールが前記盗難防止範囲に位置しないと判断すると、前記アラームモジュールに警報信号を送信し、
前記盗難防止範囲は特定の速度範囲、特定の加速度範囲及び特定空間領域の中の少なくとも１つ又は少なくとも２つの組合であり、
前記アラームモジュールは前記警報信号を受信すると警報動作を行うために用いられる盗難防止システムであって、
前記メインコントロールモジュールは、前記盗難防止範囲を定義する速度、加速度又は空間位置情報を記憶することができ、且つ前記速度、加速度又は空間位置情報及び受信した前記ＭＥＭＳセンシングモジュールの速度、加速度又は空間位置情報に基づいて前記ＭＥＭＳセンシングモジュールが前記盗難防止範囲に位置するか否かを判断しており、
前記ＭＥＭＳセンシングモジュールが前記盗難防止範囲を定義する速度、加速度又は空間位置にある場合、前記ＭＥＭＳセンシングモジュールの現在の速度、加速度又は空間位置情報が前記メインコントロールモジュールに送信され、前記メインコントロールモジュールは、受信した速度、加速度又は空間位置情報を記憶して前記盗難防止範囲を定義する速度、加速度又は空間位置情報とする、
ことを特徴とする盗難防止システム。
【請求項２】
各々のＭＥＭＳセンシングモジュールは１つのＭＥＭＳセンシング装置に集積され、前記メインコントロールモジュールは１つのメインコントロール装置に集積され、各々のＭＥＭＳセンシングモジュールと前記メインコントロールモジュールは無線方式によって情報を送信したり受信したりすることを特徴とする請求項１に記載の盗難防止システム。
【請求項３】
前記メインコントロールモジュールは記憶ユニット及び判断ユニットを備え、
前記記憶ユニットは、前記盗難防止範囲を定義する速度、加速度又は空間位置情報を記憶するために用いられ、
前記判断ユニットは、前記盗難防止範囲を定義する速度、加速度又は空間位置情報及び前記ＭＥＭＳセンシングモジュールからの速度、加速度又は空間位置情報に基づいて、前記ＭＥＭＳセンシングモジュールが前記盗難防止範囲に位置するか否かを判断することを特徴とする請求項１に記載の盗難防止システム。
【請求項４】
前記アラームモジュールは前記メインコントロール装置に集積されることを特徴とする請求項２に記載の盗難防止システム。
【請求項５】
前記アラームモジュールは警報装置に集積され、前記メインコントロールモジュールは有線又は無線方式によって前記アラームモジュールに警報信号を送信することを特徴とする請求項２に記載の盗難防止システム。
【請求項６】
一緒に集積されたＭＥＭＳセンシングモジュール、メインコントロールモジュール及びアラームモジュールを備え、
前記ＭＥＭＳセンシングモジュールは、その自身の速度、加速度又は空間位置を検出するために用いられ、且つ検出された前記速度、加速度又は空間位置情報を前記メインコントロールモジュールに送信し、
前記メインコントロールモジュールは、前記ＭＥＭＳセンシングモジュールから送信する速度、加速度又は空間位置情報に基づいて前記ＭＥＭＳセンシングモジュールが盗難防止範囲に位置するか否かを判断するために用いられ、且つ前記ＭＥＭＳセンシングモジュールが前記盗難防止範囲に位置しないと判断すると、前記アラームモジュールに警報信号を送信し、
前記盗難防止範囲は特定の速度範囲、特定の加速度範囲及び特定空間領域の中の少なくとも１つ又は少なくとも２つの組合であり、
前記アラームモジュールは前記警報信号を受信すると警報動作を行うために用いられる盗難防止装置であって、
前記メインコントロールモジュールは前記盗難防止範囲を定義する速度、加速度又は空間位置情報を記憶することができ、且つ前記空間位置情報及び受信した前記ＭＥＭＳセンシングモジュールの速度、加速度又は空間位置情報に基づいて前記ＭＥＭＳセンシングモジュールが前記盗難防止範囲に位置するか否かを判断しており、
前記盗難防止装置が前記盗難防止範囲を定義する速度、加速度又は空間位置にある場合、前記ＭＥＭＳセンシングモジュールの現在の速度、加速度又は空間位置情報が前記メインコントロールモジュールに送信され、前記メインコントロールモジュールは受信した速度、加速度又は空間位置情報を記憶して前記盗難防止範囲を定義する速度、加速度又は空間位置情報とする
ことを特徴とする盗難防止装置。
【請求項７】
ラッチモジュールをさらに備え、それは外部から入力する指令情報を受信することができ、且つ前記指令情報に基づいて前記盗難防止装置をロック状態及びロック解除状態に設置することができ、
前記ロック状態にあると、前記メインコントロールモジュールは前記ＭＥＭＳセンシングモジュールから送信する空間位置情報に基づいて前記ＭＥＭＳセンシングモジュールが盗難防止範囲に位置するか否かを判断し、且つ前記ＭＥＭＳセンシングモジュールが前記盗難防止範囲に位置しないと判断すると、前記アラームモジュールに警報信号を送信し、
前記ロック解除状態にあると、前記メインコントロールモジュールは前記アラームモジュールに警報信号を送信しないことを特徴とする請求項６に記載の盗難防止装置。
【請求項８】
前記盗難防止装置がロック状態にある場合、前記ラッチモジュールは予定の暗号化指令情報を受信すると、前記盗難防止装置をロック状態からロック解除状態に切り換えることを特徴とする請求項７に記載の盗難防止装置。
【請求項９】
前記メインコントロールモジュールは記憶ユニット及び判断ユニットを備え、
前記記憶ユニットは、前記盗難防止範囲を定義する速度、加速度又は空間位置情報を記憶するために用いられ、
前記判断ユニットは、前記盗難防止範囲を定義する速度、加速度又は空間位置情報及び前記ＭＥＭＳセンシングモジュールからの速度、加速度又は空間位置情報に基づいて、前記ＭＥＭＳセンシングモジュールが前記盗難防止範囲に位置するか否かを判断し、即ち前記盗難防止装置が前記盗難防止範囲に位置するか否かを判断することを特徴とする請求項６に記載の盗難防止装置。
【請求項１０】
ＭＥＭＳセンシングモジュールを備える装置を保護しようとする物品に附着して、前記ＭＥＭＳ装置が前記物品とともに移動することにして、前記ＭＥＭＳセンシングモジュールはその自身の速度、加速度又は空間位置を検出し且つ検出された前記速度、加速度又は空間位置情報を前記装置内部又は外部のメインコントロールモジュールに送信するステップと、
前記メインコントロールモジュールは、前記ＭＥＭＳセンシングモジュールから送信する速度、加速度又は空間位置情報に基づいて前記ＭＥＭＳセンシングモジュールが盗難防止範囲に位置するか否かを判断し、且つ前記ＭＥＭＳセンシングモジュールが前記盗難防止範囲に位置しないと判断すると、アラームモジュールに警報信号を送信し、前記盗難防止範囲は特定の速度範囲、特定の加速度範囲及び特定空間領域の中の少なくとも１つ又は少なくとも２つの組合であるステップと、
前記アラームモジュールは前記警報信号を受信すると警報動作を行うステップと、
を備える盗難防止方法であって、
前記メインコントロールモジュールは、前記盗難防止範囲を定義する速度、加速度又は空間位置情報を記憶し、且つ前記速度、加速度又は空間位置情報及び受信した前記ＭＥＭＳセンシングモジュールの速度、加速度又は空間位置情報に基づいて前記ＭＥＭＳセンシングモジュールが前記盗難防止範囲に位置するか否かを判断し、
前記ＭＥＭＳセンシングモジュールが前記盗難防止範囲を定義する速度、加速度又は空間位置にある場合、前記ＭＥＭＳセンシングモジュールの現在の速度、加速度又は空間位置情報が前記メインコントロールモジュールに送信され、前記メインコントロールモジュールは受信した速度、加速度又は空間位置情報を記憶して前記盗難防止範囲を定義する速度、加速度又は空間位置情報とする
ことを特徴とする盗難防止方法。
【発明の詳細な説明】
【技術分野】
【０００１】
本発明は、盗難防止技術分野に関するものであって、具体的に携帯式盗難防止装置及び関連する盗難防止システムと盗難防止方法に関するものであり、本発明はいろいろな物品の盗難防止に適用するばかりではなく、ペットや子供がはぐれないように防止することもできる。
【背景技術】
【０００２】
人々の物質生活水平の向上に伴って、会社、家庭、個人の財産安全はますます人々が関心を持つ焦点になる。しかし、既存の盗難防止システム又は盗難防止装置は専用のネットワークを架設するか又は専門化配線を必要とするので、架設過程が複雑であり、コストが高く、且つ応用範囲が狭い。インターネット及びＭＥＭＳなどの技術の流行及び成熟に伴って、盗難防止装置は精確化、小型化、使用簡単化、携帯化の方向に向かって発展する。
【０００３】
ＭＥＭＳ（Ｍｉｃｒｏｅｌｅｃｔｒｏ  Ｍｅｃｈａｎｉｃａｌ  Ｓｙｓｔｅｍｓ）、即ちマイクロ電気機械システムは、マイクロエレクトロニクス技術に基づいて発展された多い学科が交差された最前方の研究領域である。四十年余りの発展を経て世界注目の主要な科学技術分野の一つになっている。ＭＥＭＳセンサーは、マイクロエレクトロニクス及びマイクロマシニング技術を採用して製造された新しいセンサーである。従来のセンサーに比べて、小型、軽量、低コスト、低消費電力、高信頼性、大量生産適用性、集成し易く、インテリジェントの特徴を有する。
【発明の概要】
【発明が解決しようとする課題】
【０００４】
本発明が解決しようとする課題は、既存の盗難防止システムと装置は構造が複雑であり、且つ盗難防止装置と被保護物品の接続方式が複雑であり、盗難防止装置は被保護物品の正常な動作に一定程度の影響を与える。
【課題を解決するための手段】
【０００５】
本発明に係わる盗難防止システムは、少なくとも１つのＭＥＭＳセンシングモジュール、１つのメインコントロールモジュール及び１つのアラームモジュールを備え、前記ＭＥＭＳセンシングモジュールは、その自身の速度、加速度及び/又は空間位置を検出するために用いられ、且つ検出された前記速度、加速度又は空間位置情報を前記メインコントロールモジュールに送信し、前記メインコントロールモジュールは、前記ＭＥＭＳセンシングモジュールから送信する速度、加速度又は空間位置情報に基づいて前記ＭＥＭＳセンシングモジュールが盗難防止範囲に位置するか否かを判断するために用いられ、且つ前記ＭＥＭＳセンシングモジュールが前記盗難防止範囲に位置しないと判断すると、前記アラームモジュールに警報信号を送信し、前記盗難防止範囲は特定の速度範囲、特定の加速度範囲及び特定空間領域の中の少なくとも１つ又は少なくとも２つの組合であり、前記アラームモジュールは前記警報信号を受信すると警報動作を行うために用いられる。
【０００６】
具体的な実施方式において、各々のＭＥＭＳセンシングモジュールは１つのＭＥＭＳセンシング装置に集積され、前記メインコントロールモジュールは１つのメインコントロール装置に集積され、各々のＭＥＭＳセンシングモジュールと前記メインコントロールモジュールは無線方式によって情報を送信したり受信したりする。
【０００７】
具体的な実施方式において、前記メインコントロールモジュールは、前記盗難防止範囲を定義する速度、加速度又は空間位置情報を記憶することができ、且つ前記速度、加速度又は空間位置情報及び受信した前記ＭＥＭＳセンシングモジュールの速度、加速度又は空間位置情報に基づいて前記ＭＥＭＳセンシングモジュールが前記盗難防止範囲に位置するか否かを判断する。
【０００８】
具体的な実施方式において、前記メインコントロールモジュールは外部から前記盗難防止範囲を定義する速度、加速度又は空間位置情報を受信する。
【０００９】
具体的な実施方式において、前記ＭＥＭＳセンシングモジュールが前記盗難防止範囲を定義する速度、加速度又は空間位置にある場合、前記ＭＥＭＳセンシングモジュールの現在の速度、加速度又は空間位置情報を前記メインコントロールモジュールに送信すると、前記メインコントロールモジュールは受信した速度、加速度又は空間位置情報を記憶して前記盗難防止範囲を定義する速度、加速度又は空間位置情報とする。
【００１０】
具体的な実施方式において、前記メインコントロールモジュールは記憶ユニット及び判断ユニットを備え、前記記憶ユニットは、前記盗難防止範囲を定義する速度、加速度又は空間位置情報を記憶するために用いられ、前記判断ユニットは、前記盗難防止範囲を定義する速度、加速度又は空間位置情報及び前記ＭＥＭＳセンシングモジュールからの速度、加速度又は空間位置情報に基づいて、前記ＭＥＭＳセンシングモジュールが前記盗難防止範囲に位置するか否かを判断する。
【００１１】
具体的な実施方式において、前記アラームモジュールは前記メインコントロール装置に集積される。
【００１２】
具体的な実施方式において、前記アラームモジュールは警報装置に集積され、前記メインコントロールモジュールは有線又は無線方式によって前記アラームモジュールに警報信号を送信する。
【００１３】
本発明に係わる盗難防止装置は、一緒に集積されたＭＥＭＳセンシングモジュール、メインコントロールモジュール及びアラームモジュールを備え、前記ＭＥＭＳセンシングモジュールは、その自身の速度、加速度又は空間位置を検出するために用いられ、且つ検出された前記速度、加速度又は空間位置情報を前記メインコントロールモジュールに送信し、前記メインコントロールモジュールは、前記ＭＥＭＳセンシングモジュールから送信する速度、加速度又は空間位置情報に基づいて前記ＭＥＭＳセンシングモジュールが盗難防止範囲に位置するか否かを判断するために用いられ、且つ前記ＭＥＭＳセンシングモジュールが前記盗難防止範囲に位置しないと判断すると、前記アラームモジュールに警報信号を送信し、前記盗難防止範囲は特定の速度範囲、特定の加速度範囲及び特定空間領域の中の少なくとも１つ又は少なくとも２つの組合であり、前記アラームモジュールは前記警報信号を受信すると警報動作を行うために用いられる。
【００１４】
具体的な実施方式において、ラッチモジュールをさらに備え、それは外部から入力する指令情報を受信することができ、且つ前記指令情報に基づいて前記盗難防止装置をロック状態及びロック解除状態に設置することができ、前記ロック状態にあると、前記メインコントロールモジュールは前記ＭＥＭＳセンシングモジュールから送信する空間位置情報に基づいて前記ＭＥＭＳセンシングモジュールが盗難防止範囲に位置するか否かを判断し、且つ前記ＭＥＭＳセンシングモジュールが前記盗難防止範囲に位置しないと判断すると、前記アラームモジュールに警報信号を送信し、前記ロック解除状態にあると、前記メインコントロールモジュールは前記アラームモジュールに警報信号を送信しない。
【００１５】
具体的な実施方式において、前記盗難防止装置がロック状態にある場合、前記ラッチモジュールは予定の暗号化指令情報を受信すると、前記盗難防止装置をロック状態からロック解除状態に切り換える。
【００１６】
具体的な実施方式において、前記メインコントロールモジュールは前記盗難防止範囲を定義する速度、加速度又は空間位置情報を記憶することができ、且つ前記空間位置情報及び受信した前記ＭＥＭＳセンシングモジュールの速度、加速度又は空間位置情報に基づいて前記ＭＥＭＳセンシングモジュールが前記盗難防止範囲に位置するか否かを判断する。
【００１７】
具体的な実施方式において、通信モジュールをさらに備え、前記メインコントロールモジュールは前記通信モジュールによって外部から前記盗難防止範囲を定義する速度、加速度又は空間位置情報を受信する。
【００１８】
具体的な実施方式において、前記盗難防止装置が前記盗難防止範囲を定義する速度、加速度又は空間位置にある場合、前記ＭＥＭＳセンシングモジュールの現在の速度、加速度又は空間位置情報を前記メインコントロールモジュールに送信すると、前記メインコントロールモジュールは受信した速度、加速度又は空間位置情報を記憶して前記盗難防止範囲を定義する速度、加速度又は空間位置情報とする。
【００１９】
具体的な実施方式において、前記メインコントロールモジュールは記憶ユニット及び判断ユニットを備え、前記記憶ユニットは、前記盗難防止範囲を定義する速度、加速度又は空間位置情報を記憶するために用いられ、前記判断ユニットは、前記盗難防止範囲を定義する速度、加速度又は空間位置情報及び前記ＭＥＭＳセンシングモジュールからの速度、加速度又は空間位置情報に基づいて、前記ＭＥＭＳセンシングモジュールが前記盗難防止範囲に位置するか否かを判断し、即ち前記盗難防止装置が前記盗難防止範囲に位置するか否かを判断する。
【００２０】
本発明に係わる盗難防止方法は、ＭＥＭＳセンシングモジュールを備える装置を保護しようとする物品に附着して、前記ＭＥＭＳ装置が前記物品とともに移動することにして、前記ＭＥＭＳセンシングモジュールはその自身の速度、加速度又は空間位置を検出し且つ検出された前記速度、加速度又は空間位置情報を前記装置内部又は外部のメインコントロールモジュールに送信するステップと、前記メインコントロールモジュールは、前記ＭＥＭＳセンシングモジュールから送信する速度、加速度又は空間位置情報に基づいて前記ＭＥＭＳセンシングモジュールが盗難防止範囲に位置するか否かを判断し、且つ前記ＭＥＭＳセンシングモジュールが前記盗難防止範囲に位置しないと判断すると、アラームモジュールに警報信号を送信し、前記盗難防止範囲は特定の速度範囲、特定の加速度範囲及び特定空間領域の中の少なくとも１つ又は少なくとも２つの組合であるステップと、前記アラームモジュールは前記警報信号を受信すると警報動作を行うステップと、を備える。
【００２１】
具体的な実施方式において、前記メインコントロールモジュールは、前記盗難防止範囲を定義する速度、加速度又は空間位置情報を記憶し、且つ前記速度、加速度又は空間位置情報及び受信した前記ＭＥＭＳセンシングモジュールの速度、加速度又は空間位置情報に基づいて前記ＭＥＭＳセンシングモジュールが前記盗難防止範囲に位置するか否かを判断する。
【００２２】
具体的な実施方式において、前記メインコントロールモジュールは外部から前記盗難防止範囲を定義する速度、加速度又は空間位置情報を受信する。
【００２３】
具体的な実施方式において、前記ＭＥＭＳセンシングモジュールが前記盗難防止範囲を定義する速度、加速度又は空間位置にある場合、前記ＭＥＭＳセンシングモジュールの現在の速度、加速度又は空間位置情報を前記メインコントロールモジュールに送信すると、前記メインコントロールモジュールは受信した速度、加速度又は空間位置情報を記憶して前記盗難防止範囲を定義する速度、加速度又は空間位置情報とする。
【発明の効果】
【００２４】
本発明に係わる盗難防止システム又は装置は特定の盗難防止範囲を設定することができ、盗難防止範囲は特定の速度範囲、特定の加速度範囲及び特定空間領域の中の少なくとも１つ又は少なくとも２つの組合である。被保護物品が前記盗難防止範囲を超えると、盗難防止システム又は装置は警報を行って、盗難防止警報の効果に達する。
【００２５】
本発明に係わる盗難防止システム又は装置の盗難防止範囲における被保護物品の任意の移動は警報を行わないので、被保護物品の正常な使用を影響しない。
【００２６】
本発明に係わる盗難防止システム又は装置と被保護物品の接続方式は非常に簡単であり、複雑な接続及び設置を必要としなく、使用便利である。
【図面の簡単な説明】
【００２７】
【図１】本発明に係わる盗難防止システムの基本構造のブロック図である。
【図２】本発明に係わる盗難防止システムの一実施方式の構造を示す図である。
【図３】本発明に係わる盗難防止システムの別の実施方式の構造を示す図である。
【図４】本発明に係わる盗難防止システムのメインコントロールモジュールの一実施方式の構造を示す図である。
【図５】本発明に係わる盗難防止システムのさらに別の実施方式（即ち携帯式集積盗難防止装置）の構造を示す図である。
【図６】本発明に係わる携帯式集積盗難防止装置の別の実施方式の構造を示す図である。
【図７】本発明に係わる携帯式集積盗難防止装置のさらに別の実施方式の構造を示す図である。
【図８】本発明の一実施例に係わる携帯式盗難防止装置の使用状態を示す図である。
【図９】図７に示す携帯式盗難防止装置の内部構造を示す図である。
【図１０】図７に示す盗難防止装置の使用状態を示す図である。
【図１１】図７に示す携帯式盗難防止装置の操作方法のフローチャートである。
【図１２Ａ】本発明の実施例に係わる携帯式盗難防止装置の相対距離を初期化設定することを示す図である。
【図１２Ｂ】本発明の実施例に係わる携帯式盗難防止装置の平面領域を初期化設定することを示す図である。
【図１２Ｃ】本発明の実施例に係わる携帯式盗難防止装置の三次元領域を初期化設定することを示す図である。
【図１２Ｄ】本発明の実施例に係わる携帯式盗難防止装置の回転角度を初期化設定することを示す図である。
【発明を実施するための形態】
【００２８】
本発明の目的、技術方案及び利点をもっと明確するために、以下、図面を参照して本発明の実施方式について詳細に説明する。
【００２９】
とにかく、本発明はＭＥＭＳの速度、加速度検知及び自己定位機能に基づいて実現された盗難防止装置を提供し、このような盗難防止装置は被保護物品に接続されて被保護物品とともに移動することができ、したがって被保護物品の速度、加速度又は空間位置を獲得して、もしその速度、加速度又は空間位置が安全範囲である予定盗難防止範囲にない場合、警報動作を行う。本発明において、「自己定位」とは自分の空間位置を検知できることを意味する。本発明の盗難防止範囲は特定の速度範囲、特定の加速度範囲及び特定空間領域の中の少なくとも１つ又は少なくとも２つの組合である。
【００３０】
図１は、本発明に係わる盗難防止システムの基本構造のブロック図である。図１に示されたように、上述した機能を有する盗難防止システムを実現するために、少なくともＭＥＭＳセンシングモジュール１１、メインコントロールモジュール１２及びアラームモジュール１３を備える。本発明において、「モジュール」は別々に独立機能のハードウェアコンポーネントからなり、複数のハードウェアコンポーネントの組合からなることもできる。又は、異なるモジュールは各モジュールの機能を実現することができる同じハードウェアコンポーネントから実現することもできる。異なるモジュールは異なるコンポーネントからなる場合、いかなる接続方式によって接続することができ、例えば、バス接続、有線通信接続又は無線通信接続などである。ハードウェアコンポーネントは、プロセッサー、センサー及び関連する回路などであることができる。プロセッサーにとって、特定のデータ処理機能を有するチップ、ＤＳＰなどであることができ、通用プログラムを執行できるＣＰＵなどであることもできる。センサーは、集積式であることができ、独立なセンサーであることもできる。
【００３１】
ＭＥＭＳセンシングモジュール１１は、その自身の速度、加速度及び/又は空間位置を検出することができ、検出された速度、加速度又は空間位置情報をメインコントロールモジュール１２に送信する。ここで空間位置情報は目標の空間位置を表示するために用いられ、速度、加速度及び空間は三次元であることができ、二次元又は一次元であることもできる。速度、加速度又は空間位置を表示する方式は既存のいかなる方式であることができ、例えば、デカルト座標系に基づく座標又は角座標系に基づく座標などである。ＭＥＭＳセンシングモジュールは一般的にＭＥＭＳセンサーから実現され、１つの参考点に対するその自身の加速度と速度が時間に伴って変化する状況を検出することができ、前記加速度と速度が時間に対する関数に基づいてそれが前記参考点に対する空間位置を獲得する。
【００３２】
メインコントロールモジュール１２は、ＭＥＭＳセンシングモジュール１１から送信する速度、加速度又は空間位置情報に基づいて、ＭＥＭＳセンシングモジュール１１が盗難防止範囲に位置するか否かを判断し、且つＭＥＭＳセンシングモジュール１１が盗難防止範囲に位置しないと判断すると、アラームモジュール１３に警報信号を送信する。例えば、ＭＥＭＳセンシングモジュールの速度が１つの速度閾値を超える場合、盗難防止範囲を超えたと判断する。又、空間領域は任意の形状及び境界の空間領域であることができ、三次元空間領域、二次元空間領域又は一次元空間領域であることができる。一般的に１つの参考座標系を設定して、この参考座標系の座標で空間位置を表示することができる。複数の空間位置によって盗難防止範囲の範囲を定義することができる。空間領域を表示する方式は一般的に上述の空間位置を表示する方式と一致であり、デカルト座標系であることができ、角座標系であることもでき、計算と判断が便利であればよく、本発明はこの方面を限定されるものではない。だから、盗難防止範囲を定義する空間位置情報を獲得すると、一定の計算規則（例えば、境界計算方法である）によって現在の空間位置が特定の空間領域内にあるか否かを計算することができる。
【００３３】
本発明において、ＭＥＭＳセンシングモジュール１１は１つであることができ、複数であることもでき、複数のＭＥＭＳセンシングモジュール１１を有する場合、それぞれ独立に作動する。異なる安全範囲に基づいて、各々のＭＥＭＳセンシングモジュール１１は同じ盗難防止範囲に対応することができ、又は異なる盗難防止範囲に対応することもできる。メインコントロールモジュールはあらゆるＭＥＭＳセンシングモジュール１１から送信する速度、加速度又は空間位置情報を受信して、任意の１つのＭＥＭＳセンシングモジュール１１が対応する盗難防止範囲に位置しない場合、アラームモジュール１３に警報情報を送信する。
【００３４】
アラームモジュール１３は警報信号を受信すると警報動作を行う。警報動作はいかなる声、光、電、磁気、機械動作であることができ、通常は人々が感知できるいかなる方式であり、例えば、発声、発光、防護装置をスタートするなどである。警報動作は警報信号を外部の他の警報装置に送信することもできる。複数のＭＥＭＳセンシングモジュール１１を有する場合、メインコントロールモジュール１２はそれが判断した異なるＭＥＭＳセンシングモジュール１１に基づいて異なる警報信号を送信する。又は複数のアラームモジュール１３を有することができ、メインコントロールモジュール１２はそれが判断した異なるＭＥＭＳセンシングモジュール１１に基づいて警報信号を異なるアラームモジュール１３に送信する。
【００３５】
図２は、本発明に係わる盗難防止システムの一実施方式の構造を示す図である。図２に示されたように、本実施方式において、複数のＭＥＭＳセンシングモジュール１１、１つのメインコントロールモジュール１２及び１つのアラームモジュール１３を備え、各々のＭＥＭＳセンシングモジュール１１は１つのＭＥＭＳセンシング装置１に集積され、メインコントロールモジュール１２はメインコントロール装置２に集積され、各々のＭＥＭＳセンシングモジュール１１とメインコントロールモジュール１２は無線方式によって情報を送信したり受信したりする。アラームモジュール１３は警報装置３に集積され、メインコントロールモジュール１２は無線方式によってアラームモジュール１３に警報信号を送信する。しかし、本発明は上述した情報送受信方式に限定されるものではなく、有線方式によって速度、加速度又は空間位置情報及び警報情報を送信することができ、システムの安定性及びアンチジャミング能力を高める。
【００３６】
このような実施方式の構造を採用すると、警報装置は監視し易い位置に固定装着することができ、警報範囲は広い。
【００３７】
もちろん、アラームモジュール１３及びメインコントロールモジュール１２は１つの装置に集積されることができ、即ち図３に示す本発明に係わる盗難防止システムの別の実施方式の構造である。図３に示されたように、アラームモジュール１３及びメインコントロールモジュール１２は全てメインコントロール装置２に集積される。このような実施方式の利点は、メインコントロール装置は携帯式設備としてセキュリティー担当者が身のまわりに携帯することができ、定点警報の効果を実現する。
【００３８】
図４は、本発明に係わる盗難防止システムのメインコントロールモジュールの一実施方式の構造を示す図である。図４に示されたように、メインコントロールモジュール１２は少なくとも記憶ユニット１２１及び判断ユニット１２２を備え、記憶ユニット１２１は盗難防止範囲を定義する速度、加速度又は空間位置情報を記憶するために用いられ、判断ユニット１２２は盗難防止範囲を定義する速度、加速度又は空間位置情報及びＭＥＭＳセンシングモジュールからの速度、加速度又は空間位置情報に基づいてＭＥＭＳセンシングモジュールが盗難防止範囲に位置するか否かを判断するために用いられる。
【００３９】
メインコントロールモジュール１２に記憶された盗難防止範囲を定義する速度、加速度又は空間位置情報はいかなる方式によって獲得することができる。例えば、メインコントロールモジュール１２は入力出力ユニット１２３をさらに備えることができ、ユーザーは入力出力ユニット１２３によって盗難防止範囲を定義する位置情報を記憶ユニット１２１に書き込む。しかし、このような方式はユーザーが空間情報を予め獲得してから入力することを必要とするので、ユーザー操作の複雑度を増加する。
【００４０】
別の実施方式はＭＥＭＳセンシングモジュール１１を備えるＭＥＭＳセンシング装置１からメインコントロールモジュール１２に盗難防止範囲を定義する速度、加速度又は空間位置情報を送信する。ＭＥＭＳセンシングモジュール１１は速度及び加速度を自己検出し且つ自己定位機能を有するので、ＭＥＭＳセンシングモジュール１１を備えるＭＥＭＳセンシング装置１を予定の速度、加速度で予め移動するか、又は特定空間領域を定義することができる位置に放置して、この時に獲得した速度、加速度又は空間位置情報をメインコントロール装置２のメインコントロールモジュール１２に送信することができる。即ち、ＭＥＭＳセンシングモジュール１１が盗難防止範囲を定義する速度、加速度又は空間位置にある場合、ＭＥＭＳセンシングモジュール１１の現在の速度、加速度又は空間位置情報をメインコントロールモジュール１２に送信すると、メインコントロールモジュール１２は受信した速度、加速度又は空間位置情報を記憶して盗難防止範囲を定義する速度、加速度又は空間位置情報とする。これは特定空間領域を定義する空間位置情報を獲得することに対して特別に適合し、例えば、長方体形状のルームにとって、ＭＥＭＳセンシングモジュール１１を利用してルームの８つの頂点の座標を検出するだけで、この長方体空間領域を定義する空間位置情報を獲得して記憶することができる。メインコントロール装置２が作動する場合、リアルタイムに検出した空間位置情報と記憶された盗難防止範囲を定義する空間位置情報を比較することにより、ＭＥＭＳセンシング装置１がこのルームにあるか否かを判断することができる。
【００４１】
図５は、本発明に係わる盗難防止システムのさらに別の実施方式（即ち携帯式集積盗難防止装置）の構造を示す図である。図５に示されたように、本実施方式において、ＭＥＭＳセンシングモジュール１１、メインコントロールモジュール１２及びアラームモジュール１３は１つの装置に集積されており、即ちこの３つのモジュールは１つの独立な盗難防止装置４を構成する。前の実施例と類似して、ＭＥＭＳセンシングモジュール１１は、その自身の速度、加速度又は空間位置を検出し且つ検出された速度、加速度又は空間位置情報をメインコントロールモジュール１２に送信するために用いられる。メインコントロールモジュール１２は、ＭＥＭＳセンシングモジュール１１から送信する速度、加速度又は空間位置情報に基づいてＭＥＭＳセンシングモジュール１１が盗難防止範囲に位置するか否かを判断して、ＭＥＭＳセンシングモジュール１１が盗難防止範囲に位置しないと、アラームモジュール１３に警報信号を送信するために用いられる。アラームモジュール１３は警報信号を受信すると警報動作を行うために用いられる。
【００４２】
本実施方式において、情報交換を行うことができ且つ機械構造から１つの整体を構成しさえすれば、３つのモジュールは内部バスによって接続されることができ、他の電気接続方式によって接続されることもできる。このようにセンシング、判断及び警報機能は全て１つの独立な盗難防止装置４から完成し、システム構造をさらに簡略化し、さらに携帯化を実現する。
【００４３】
本実施方式において、各々のモジュールの操作は上述した実施方式と類似する。盗難防止範囲を定義する速度、加速度又は位置情報を獲得するために、盗難防止装置４を予定の速度、加速度で移動するか（一般的に設定した速度、加速度の極値である）又は盗難防止範囲を定義する空間位置に放置して、ＭＥＭＳセンシングモジュール１１の現在の速度、加速度又は空間位置情報をメインコントロールモジュール１２に送信すると、メインコントロールモジュール１２は受信した速度、加速度又は空間位置情報を記憶して盗難防止範囲を定義する速度、加速度又は空間位置情報とする。
【００４４】
図６は、本発明に係わる携帯式集積盗難防止装置の別の実施方式の構造を示す図である。図６に示されたように、図５に示す盗難防止装置と異なり、この盗難防止装置４はラッチモジュール１４をさらに備える。ラッチモジュール１４の作用はユーザーが盗難防止装置４を便利に操作できるようにして盗難防止機能をスタートオンするか又は盗難防止機能をスタートオフする一方で、不法ユーザーが盗難防止装置４を悪意に操作して盗難防止機能がおちることを免れる。
【００４５】
具体的に説明すると、ラッチモジュール１４は、外部から入力する指令情報を受信して、この指令情報に基づいて盗難防止装置４をロック状態及びロック解除状態に設置することができる。ロック状態にあると、ＭＥＭＳセンシングモジュール１１は速度、加速度又は空間位置を正常に獲得し、メインコントロールモジュール１２は判断及び警報を行って、盗難防止機能がスタートオンされるが、ロック解除状態は警報操作を行わない状態であり、メインコントロールモジュール１２はいかなる状況でも警報信号を送信しなく、盗難防止機能はスタートオンされない。好ましくは、盗難防止装置がロック状態にある場合、前記ラッチモジュール１４はただ予定の暗号化指令情報を受信する時に盗難防止装置４をロック状態からロック解除状態に切り換える。このように、暗号化指令情報を把握したユーザーのみが盗難防止装置４に対してロック解除して盗難防止機能を解除することができ、その安全性を高める。
【００４６】
既存の普通の盗難防止装置は全て分離式のロック解除装置を備え付けることを必要とするが、例えば、ロック解除カードなどであり、本発明はラッチモジュール１４によって盗難防止装置４のロック及びロック解除を同時に実現して、本発明の盗難防止装置はその自身の装置で盗難防止機能をスタートオンするかスタートオフすることができ、装置構造はさらに簡単化であり、携帯効果をさらに突出し、ユーザー体験も高める。
【００４７】
図７は、本発明に係わる携帯式集積盗難防止装置のさらに別の実施方式の構造を示す図であるである。図７に示されたように、携帯式集積盗難防止装置は通信モジュール１５をさらに備える。通信モジュールは外部からの制御情報を受信するために用いられ、制御情報は盗難防止範囲を定義する速度、加速度又は空間位置情報を備え、ラッチモジュールが処理できる指令情報であることもでき、従ってラッチモジュールは指令情報に基づいて集積盗難防止装置に対してロック又はロック解除を行う。通信モジュール１５は通常メインコントロールモジュール１２に直接に接続され、メインコントロールモジュールは通信モジュール１５からの情報を対応する機能モジュールに転送する。もちろん、通信モジュール１５は外部装置に情報を送信することもでき、例えば、現在の速度、加速度又は位置情報を外部装置に送信して、ユーザーが外部装置によって携帯式集積盗難防止装置の状態をリアルタイムに把握及び監視することにする。通信モジュール１５はインターネットに接続することができ、インターネットに接続しないこともでき、データ通信方式は有線方式及び無線方式を備え、無線方式はＮＦＣ（近距離無線通信技術）、ＢＴ（ブルートゥース（登録商標））、ＷＩＦＩ（無線ネットワーク通信技術）、２Ｇ/３Ｇ/ＬＴＥなどの移動ネットワーク技術、ＦＭ（変調通信技術）などを備える。例えば、ネットワークに接続しない状態でＮＦＣ、ブルートゥース（登録商標）、赤外線、ＷｉＦｉなどの方式のデータ交換を支持し、ネットワークに接続する状態で２Ｇ/３Ｇ/ＬＴＥなどの移動ネットワーク及び他のＩｎｔｅｒｎｅｔに接続する方式を支持する。本発明は特定のデータ通信方式に限定されるものではない。
【実施例】
【００４８】
以下、具体的な実施例によって本発明をさらに説明する。
【００４９】
図８は、本発明の一実施例に係わる携帯式防止装置の使用状態を示す図である。図８に示されたように、本実施例の盗難防止装置４はデジタルカメラの盗難防止に用いられ、即ちカメラは盗難防止を必要とする目標物品Ｐである。本実施例において、盗難防止装置４は被保護物品Ｐに直接に粘着される方式を採用する。もちろん、他の実施例において、他の固定方式で接続することができ、盗難防止装置４が物品Ｐとともに移動しさえすれば、それでよく、例えば、盗難防止装置４を被保護物品の内部に放置するか、又はストラップ/ロックを使用して被保護物品に接続する方式などであり、被保護物品は電子設備以外の他の類型の物品、ペット、人さえであることができる。
【００５０】
図９は、上述した実施例に係わる携帯式盗難防止装置の内部構造を示す図である。図９に示されたように、盗難防止装置１は、ハウジング８０１、電源８０２、ＭＥＭＳ検出器８０３、メインコントロールチップ８０４、ラッチコントローラー８０５、通信コンポーネント８０６及びアラーム８０７を備える。ＭＥＭＳ検出器８０３はＭＥＭＳセンシングモジュール１１として、メインコントロールチップ８０４はメインコントロールモジュール１２として、アラーム８０７はアラームモジュール１３として、ラッチコントローラー８０５はラッチモジュール１４とする。通信コンポーネント８０６は通信モジュール１５として外部装置と通信するために用いられ、外部装置から送信する制御情報を受信するか又は盗難防止装置の現在の状態情報を送信する。受信する情報は、例えば、パスワード情報、設定した安全範囲の情報、ロック又はロック解除するために用いられる情報などである。
【００５１】
上述した各モジュール及びユニットは全て１つのハウジング８０１の内部に集積されており、ハウジング８０１は平たい円柱形である。電源８０２は、盗難防止装置４に電源を提供することができ、それは既存のいろいろな電池、発電素子などであることができる。
【００５２】
本実施例において、ＭＥＭＳ検出器８０３はＩｎｖｅｎＳｅｎｓｅ  ＭＰＵ６０５０Ｃからなり、メインコントロールチップ８０４はＳｐｒｅａｄｔｒｕｍ６５３０からなり、ラッチコントローラー８０５はユーザー指令を受信する機械ボタンからなることができる。
【００５３】
図１０は、上述した実施例に係わる盗難防止装置の使用状態を示す図である。目標物品Ｐは特定空間領域Ｓに位置する場合のみ安全であると見なし、物品Ｐを空間領域Ｓ外へ違法的に持ち去ることを防止するために、我々は物品Ｐに盗難防止装置４を粘着することができる。盗難防止装置４はその自身が空間領域Ｓに位置するか否かを判断することができ、自分が物品Ｐとともに空間領域Ｓから離れると判断した場合、警報動作が行われ、例えば、警報声を出すか又は専用の防護装置をリモートスタートするなどであり、従って盗難防止装置４は物品の所有者または管理者に物品が盗まれる危険状態にあると提示する役割を果たす。
【００５４】
図１１は、上述した実施例に係わる携帯式盗難防止装置の操作方法のフローチャートである。
【００５５】
Ｓ１：盗難防止装置の盗難防止範囲を初期化する。盗難防止範囲は、任意の速度、加速度の範囲であることができ、指定されたある空間領域（一次元、二次元又は三次元）であることもできる。本発明において、携帯式盗難防止装置に対して初期化設定を行う場合、盗難防止装置内にプリセットすることができ、実際に使用しているところ設置することもできる（以下に説明する）。
【００５６】
Ｓ２：盗難防止装置をロック状態に設置する。即ち警報装置をスタートオンしてアラームモードに入る。このステップはラッチコントローラー８０５によってメインコントロールチップ８０４を操作することにより実現する。
【００５７】
Ｓ３：盗難防止装置が盗難防止範囲を超えているか否かを検出して、もし超えていると、ステップＳ４に入り、もし超えていないと、ステップＳ２に戻る。このステップはＭＥＭＳ検出器によって検出し、且つメインコントロールチップ８０４によって計算及び判断を行う。
【００５８】
Ｓ４：盗難防止装置がロック解除状態にあるか否かを判断して、判断結果がはいであると、ステップＳ２に戻り、判断結果がいいえであると、ステップＳ５に入る。このステップはメインコントロールチップ８０４によって操作する。
【００５９】
Ｓ５：盗難防止装置は警報動作を行う。警報動作はアラームによって行われ、声光警報であることができ、同時/又は警報情報を指定された外部の他の警報装置に送信することもでき、例えば、防護装置である。
【００６０】
Ｓ６：盗難防止装置がロック解除されたか否かを判断して、判断結果がはいであると、ステップＳ７に入り、判断結果がいいえであると、ステップＳ５に戻る。このステップは同様にメインコントロールチップ８０４によって操作する。
【００６１】
Ｓ７：盗難防止装置は警報を解除する。このステップは同様にラッチコントローラー８０５によってメインコントロールチップ８０４を操作することにより実現する。
【００６２】
図１２Ａ、図１２Ｂ、図１２Ｃ、図１２Ｄは、上述の実施例に係わる携帯式盗難防止装置の盗難防止範囲を初期化設定することを示す図であり、ここでただ特定空間領域を定義する空間位置情報を設定することを例として説明する。速度、加速度範囲を設定することは前で叙述したので、ここでは詳しく説明しない。
【００６３】
図１２Ａは、盗難防止範囲を中心位置から安全距離に離れる範囲に初期化することを示す図である。その設置プロセスは、先ず、携帯式盗難防止装置４を中心位置Ｌ４１０１に放置して、ＭＥＭＳ検出器８０３によって検出された空間位置情報をメインコントロールチップ８０４に送信して記憶する。次に、携帯式盗難防止装置４を中心位置Ｌ４１０１から安全距離に離れている他の位置Ｌ４１０２に放置して、ＭＥＭＳ検出器８０３によって検出された空間位置情報をメインコントロールチップ８０４に送信して記憶する。このように初期化設置を完成する。ＭＥＭＳ検出器８０３はラッチモジュール１４とするラッチコントローラー８０５又は通信モジュール１５とする通信コンポーネント８０６によってユーザーの指令を受信することができ、ユーザー指令を受信する方式はボタン、タッチ、無線情報伝送などのようないかなる既存の交互方式であることができる。例えば、ラッチコントローラーはユーザー入力を受信するボタンを備える。通信コンポーネントは３Ｇ通信ネットワークによって外部の携帯電話から制御情報を受信することができる。
【００６４】
このようにロック状態（作動状態）で携帯式盗難防止装置４のＭＥＭＳ検出器８０３はその現在の空間位置情報をリアルタイムに検出してからメインコントロールチップ８０４に送信し、メインコントロールチップはそれが中心位置Ｌ４１０１から離れている距離を監視して、その距離が位置Ｌ４１０２と中心位置Ｌ４１０１との間の距離より大きいと、警報状態と見なす。
【００６５】
図１２Ｂは、盗難防止範囲を平面の四辺形範囲に初期化することを示す図であり、これは二次元空間領域の一例である。その設置プロセスは図１２Ａに示されたことと類似し、先ず、携帯式盗難防止装置を第一位置Ｌ４２０１に放置してから、その空間位置情報を送信して記憶する。次に、同じな方法で第二位置Ｌ４２０２、第三位置Ｌ４２０３及び第四位置Ｌ４２０４を記憶して、設置を完成する。携帯式盗難防止装置が四つの位置Ｌ４２０１、Ｌ４２０２、Ｌ４２０３、Ｌ４２０４の頂点から構成する四辺形領域を離れる場合、警報状態と見なす。本発明は同じ方法で任意辺数の多辺形領域を設置することができる。
【００６６】
図１２Ｃは、盗難防止範囲を三次元空間領域に初期化することを示す図である。前の実施例と類似し、その設置プロセスは、携帯式盗難防止装置４を複数の三次元空間位置Ｌ４３０１、Ｌ４３０２、Ｌ４３０３、Ｌ４３０４、Ｌ４３０５、Ｌ４３０６、Ｌ４３０７、Ｌ４３０８に前後に放置して、設置を完成する。携帯式盗難防止装置がＬ４３０１、Ｌ４３０２、Ｌ４３０３、Ｌ４３０４、Ｌ４３０５、Ｌ４３０６、Ｌ４３０７、Ｌ４３０８の頂点から構成する空間を離れると、警報状態と見なす。
【００６７】
図１２Ｄは、盗難防止範囲を三次元角度領域に初期化することを示す図である。その設置プロセスは、先ず、携帯式盗難防止装置を第一位置Ｌ４４０１に放置してからその位置を記憶し、次に、軸Ｘを軸心として携帯式盗難防止装置４をα°回転させて第二位置Ｌ４４０２に放置してからその位置を記憶する。もし携帯式盗難防止装置の活動範囲が軸Ｘを軸心としてα°回転する領域を超えると、警報状態と見なす。
【００６８】
本発明において、携帯式盗難防止装置に対して初期化設定する方式は、上述したように実際に使用する時に初期化設定する以外に、携帯式盗難防止装置内部にプリセットすることができ、例えば、速度を予め設定することができ、ある速度より速い又は遅い時、警報状態をスタートオンし、加速度を予め設定することもでき、ある加速度より速い又は遅い時、警報状態をスタートオンする。
【００６９】
以上実施例に基づいて本発明を具体的に説明したが、本発明は上述の実施例に限定されるものではなく、その要旨を逸脱しない限り、添付の特許請求の範囲の精神及び範囲内に含まれる種々の変更や類似の構成は、すべて最も広い解釈によって本発明の保護範囲内に含まれる。
【符号の説明】
【００７０】
１  ＭＥＭＳセンシング装置
２  メインコントロール装置
３  警報装置
４  盗難防止装置
１１  ＭＥＭＳセンシングモジュール
１２  メインコントロールモジュール
１３  アラームモジュール
１４  ラッチモジュール
１５  通信モジュール
１２１  記憶ユニット
１２２  判断ユニット
１２３  入力出力ユニット
８０１  ハウジング
８０２  電源
８０３  ＭＥＭＳ検出器
８０４  メインコントロールチップ
８０５  ラッチコントローラー
８０６  通信コンポーネント
８０７  アラーム
Ｌ４１０１  中心位置
Ｌ４１０２  他の位置
Ｌ４２０１  第一位置
Ｌ４２０２  第二位置
Ｌ４２０３  第三位置
Ｌ４２０４  第四位置
Ｌ４３０１、Ｌ４３０２、Ｌ４３０３、Ｌ４３０４、Ｌ４３０５、Ｌ４３０６、Ｌ４３０７、Ｌ４３０８  三次元空間位置
Ｌ４４０１  第一位置
Ｌ４４０２  第二位置
Ｐ  目標物品
Ｓ  空間領域
Ｘ  軸
【図１】
0006295344.tif 000002
【図２】
0006295344.tif 000003
【図３】
0006295344.tif 000004
【図４】
0006295344.tif 000005
【図５】
0006295344.tif 000006
【図６】
0006295344.tif 000007
【図７】
0006295344.tif 000008
【図８】
0006295344.tif 000009
【図９】
0006295344.tif 000010
【図１０】
0006295344.tif 000011
【図１１】
0006295344.tif 000012
【図１２Ａ】
0006295344.tif 000013
【図１２Ｂ】
0006295344.tif 000014
【図１２Ｃ】
0006295344.tif 000015
【図１２Ｄ】
0006295344.tif 000016